(57)【要約】【課題】凸面鏡に物がぶつかったり、強風が作用したりしても、凸面鏡を確実に支持可能にする死角確認用ミラー装置を提供する。【解決手段】天井１２に固定した支持台３に、支持ロッド２を回動可能であると共に、支持台３側の支持部を中心に横振れ可能に垂下させ、該支持ロッド２の下端に凸面鏡１を傾斜角度が調節可能になるように取り付けた死角確認用ミラー装置である。【選択図】      図１
2004211433.tif 000002
【特許請求の範囲】
【請求項１】
天井に支持台を固定し、該支持台に支持ロッドを軸廻りに回動可能であると共に、上端側を支点に横振れ可能に垂下させ、該支持ロッドの下端に凸面鏡を傾斜角度を調節可能に取り付けた死角確認用ミラー装置。
【請求項２】
前記支持台をボックス状に形成し、該ボックスの底面にバカ穴を設け、該バカ穴に前記支持ロッドの上端を挿入すると共に、該上端に抜け止め用ストッパーを取り付けた請求項１に記載の死角確認用ミラー装置。
【請求項３】
前記ミラーの背面にフランジを取り付け、該フランジを前記支持ロッドの下端に水平方向の枢支軸を介して傾斜角を調整可能に連結した請求項１又は２に記載の死角確認用ミラー装置。
【請求項４】
前記支持ロッドと前記天井との間を線状体で連結した請求項１、２又は３に記載の死角確認用ミラー装置。
【発明の詳細な説明】
【０００１】
【発明の属する技術分野】
本発明は死角確認用ミラー装置に関し、さらに詳しくは、取付け安定性を良好にした死角確認用ミラー装置に関する。
【０００２】
【従来の技術】
凸面鏡は広角度に反射像を映し出す機能を有するため、死角場所などの状態を確認する手段として広く使用されている。例えば、コンビニエンスストア、スーパーマーケットなどの店内で万引防止用として、また工場や駅構内などの人が行き交う通路の曲がり角に衝突防止用として使用されている。このように死角の様子を確認するためには、凸面鏡の上下方向や左右方向に対する傾斜角度が調節可能になっている必要がある。
【０００３】
従来、上記のように傾斜角度を調節可能に凸面鏡を取り付ける方法として、図４のように、フレキシブルチューブ３２の一方の端部を凸面鏡３１の背面に固定し、他方の端部を支持台３３に固定すると共に、その支持台３３を天井３４或いは壁面などに固定するようにしたものがある。しかし、この取付け方法によると、凸面鏡３１に物がぶつかったり、強風が吹きつけることによって、その凸面鏡３１に押圧力Ｆが作用すると、フレキシブルチューブ３２に曲げモーメントが発生し、支持台３３を天井３４からＡの部分で浮き上がらせるような剥離を生じ、やがて支持台３３を天井３４から脱落させてしまうということがあった。
【０００４】
【発明が解決しようとする課題】
本発明の目的は、上述した従来の問題を解消し、凸面鏡に物がぶつかったり、強風が作用したりしても、凸面鏡を確実に支持可能にする死角確認用ミラー装置を提供することにある。
【０００５】
【課題を解決するための手段】
上記目的を達成する本発明の死角確認用ミラー装置は、天井に支持台を固定し、該支持台に支持ロッドを軸廻りに回動可能であると共に、上端側を支点に横振れ可能に垂下させ、該支持ロッドの下端に凸面鏡を傾斜角度を調節可能に取り付けたことを特徴とするものである。
【０００６】
このように天井に固定した支持台に対し、凸面鏡の支持ロッドを回動可能にすると共に、支持台に対して横振れ可能に垂下させたことにより、例えば、凸面鏡に物がぶつかったりして水平方向の押圧力が作用した場合であっても、その押圧力を支持ロッドの横振れによって逃がすため、支持台の天井からの剥離を防止することができる。また、凸面鏡を支持ロッドの下端に傾斜角度を調節可能に取り付け、かつ支持ロッド自体を回動可能に支持したので、その傾斜角度を調節することにより死角を広範囲に映しだすことができる。
【０００７】
【発明の実施の形態】
以下、本発明を図に示す実施形態により具体的に説明する。
【０００８】
図１及び図２は、本発明の実施形態の死角確認用ミラー装置を示す。
【０００９】
図において、１は凸面鏡、２は支持ロッド、３は支持台である。凸面鏡１の背面にはフランジ４が取り付けられ、このフランジ４が支持ロッド２下端の板状部５に取り付けられている。すなわち、凸面鏡１のフランジ４を支持ロッド２の板状部５に重ね、このフランジ４と板状部５とを貫通するようにボルト６を水平に挿通し、そのボルト６の端部にナット７を螺合させて締付け固定するこようにしたものである。このような取付け構造により、ナット７を緩めると凸面鏡１をボルト６（枢支軸）の廻りに回動させ、その取り付け傾斜角度を任意に調整することができる。
【００１０】
支持台３は空洞のボックスから形成され、ねじ８により天井１２に固定されている。この支持台３のボックス底面の中央にバカ穴９が設けられ、このバカ穴９に支持ロッド２の上端を差し込み、かつその上端にストッパー１０がねじ１１で固定され、抜け止めされている。すなわち、ストッパー１０の径がバカ穴９の径よりも大きくしてあって、支持ロッド２が支持台３から抜け出さないようになっている。
【００１１】
上記のように支持ロッド２は、上端が支持台３にバカ穴９を介して垂下するように取り付けられることにより、軸中心に回動可能であると共に、上部の支持部を支点にしてブラブラと前後左右に横振れ可能になっている。さらに、このように横振れ可能な支持ロッド２が、天井１２との間に１本〜３本の線状体１３で連結されている。この線状体１３は必ずしも必要とするものではないが、支持ロッド２の大きな横振れを抑制し、また横振れを生じたときには早く減衰させることができる。線状体１３の材料は特に限定されないが、例えばスチールワイヤ、繊維コードなどを使用することができ、さらに弾性伸縮自在なコイルスプリングやゴム紐などを好ましく使用することができる。
【００１２】
また、本発明において必ずしも必須ではないが、図３（Ａ）、（Ｂ）に示すように、ストッパー１０の下面に放射状の凹凸溝１４を多数設け、これと同様の放射状の凹凸溝を支持台３のボックス底面にも設けて互いに噛み合わせるようにすれば、支持ロッド２の回り止めをすることができる。支持ロッド２の支持台３に対する周方向の位置を変えるときは、支持ロッド２を若干上方へ浮かせ、必要な角度だけ回転させてから下ろすようにすれば相対位置を変えることができる。
【００１３】
上述したように、本発明の死角確認用ミラー装置は、天井１２に固定した支持台３に対し、凸面鏡１の支持ロッド２を軸廻りに回動可能にすると共に、支持台３に対して横振れ可能に垂下させているので、例えば凸面鏡１に物がぶつかったり、或いは強風が吹き付けたりするなどして、支持ロッド２に大きな押圧力が作用した場合でも、その押圧力を支持ロッド２が横振れすることにより逃がすことができる。したがって、支持台３を天井１２から剥離させるようなことはない。また、凸面鏡１は支持ロッド２の下端に傾斜角度を調節可能に取り付けられ、かつ支持ロッド２自体が軸心の廻りに回動可能であるので、死角に応じて傾斜角度を調節することにより、その死角を広範囲に映しだすことができる。
【００１４】
本発明の死角確認用ミラー装置は、例えば、コンビニエンスストア、スーパーマーケットなどに万引防止用として、工場や駅構内の通路の曲がり角に衝突防止用として、その他種々の死角確認用の手段として利用することができる。
【００１５】
【発明の効果】
上述したように本発明によれば、天井に固定した支持台に対し、凸面鏡の支持ロッドを回動可能にすると共に、支持台に対して横振れ可能に垂下させたことにより、例えば、凸面鏡に物がぶつかったりして水平方向の押圧力が作用した場合であっても、その押圧力を支持ロッドの横振れによって逃がすため、支持台の天井からの剥離を防止することができる。また、凸面鏡を支持ロッドの下端に傾斜角度を調節可能に取り付け、かつ支持ロッド自体を回動可能に支持したので、その傾斜角度を調節することにより死角を広範囲に映しだすことができる。
【図面の簡単な説明】
【図１】本発明の実施形態からなる死角確認用ミラー装置を示す縦断面図である。
【図２】図１の右側面をあらわす側面図である。
【図３】（Ａ）は支持ロッドの上端に設けたストッパーの下面図、（Ｂ）は（Ａ）におけるＸ−Ｘ矢視図である。
【図４】従来の死角確認用ミラー装置を示す縦断面図である。
【符号の説明】
１  凸面鏡
２  支持ロッド
３  支持台
４  フランジ
５  板状部
６  ボルト（枢支部）
７  ナット
９  バカ穴
１０  ストッパー
１２  天井
１３  線状体
【図１】
2004211433.tif 000003
【図２】
2004211433.tif 000004
【図３】
2004211433.tif 000005
【図４】
2004211433.tif 000006